(57)【要約】【課題】吸収体に加わる外力により、吸収性本体を包むラップ材が破れ、吸収性本体を構成するパルプ繊維やＳＡＰが飛び出してその形状が崩れてしまい、吸収体としての性能が損なわれる。【解決手段】シート状をなす吸収性本体２５と、この吸収性本体２５を包むラップ材２６とを具えた本発明による吸収体１３は、ラップ材２６が相互に重なり合う部分２７，２８を有する。また、ラップ材２６の相互に重なり合う部分２７，２８は、吸収性本体２５の一方の表面側に位置し、この吸収性本体２５の一方の表面およびラップ材２６の相互に重なり合う部分２７，２８には凹部３０が一体的に形成されている。【選択図】図４
2018202100.tif 000002
【特許請求の範囲】
【請求項１】
吸収性本体と、この吸収性本体を包むラップ材とを具えた吸収体であって、前記ラップ材が相互に重なり合う部分を有し、このラップ材の相互に重なり合う部分は、前記吸収性本体の一方の表面側に位置し、この吸収性本体の一方の表面および前記ラップ材の相互に重なり合う部分には、凹部が一体的に形成されていることを特徴とする吸収体。
【請求項２】
前記吸収性本体の一方の表面全体の面積に対する前記ラップ材の相互に重なり合う部分の面積の割合が１０％以上であることを特徴とする請求項１に記載の吸収体。
【請求項３】
前記ラップ材は、相互に重ね合わされて前記吸収性本体と共に前記凹部を形成する第１ラップ部および第２ラップ部と、前記吸収性本体の他方の表面側に位置する第３ラップ部とを有する一枚のラップ材にて構成されていることを特徴とする請求項１または請求項２に記載の吸収体。
【請求項４】
前記ラップ材は、相互に重ね合わされて前記吸収性本体と共に前記凹部を形成する第１ラップ部および第２ラップ部を有する第１のラップ材と、前記吸収性本体の他方の表面側に位置する第３ラップ部を有する第２のラップ材とで構成されていることを特徴とする請求項１または請求項２に記載の吸収体。
【請求項５】
前記ラップ材は、相互に重ね合わされて前記吸収性本体と共に前記凹部を形成する第１ラップ部および第２ラップ部と、前記吸収性本体の他方の表面側に位置する第３ラップ部とを有し、前記第１ラップ部が第１のラップ材にて形成され、前記第２ラップ部と前記第３ラップ部とが前記第１のラップ材とは異なる第２のラップ材にて形成されていることを特徴とする請求項１または請求項２に記載の吸収体。
【請求項６】
前記ラップ材は、その坪量が３０ｇ／ｍ2以下の不織布およびティシュの少なくとも一方にて構成されていることを特徴とする請求項１から請求項５の何れか一項に記載の吸収体。
【請求項７】
前記第１ラップ材が不織布にて構成されていることを特徴とする請求項４または請求項５に従属する請求項６に記載の吸収体。
【請求項８】
液透過性のトップシートと、液不透過性のバックシートと、これらトップシートとバックシートとの間に配される請求項１から請求項６の何れか一項に記載の吸収体とを具えたことを特徴とする吸収性物品。
【請求項９】
前記凹部が前記液透過性のトップシートにも一体的に形成されていることを特徴とする請求項２から請求項５および請求項７の何れか一項に従属する請求項８に記載の吸収性物品。
【発明の詳細な説明】
【技術分野】
【０００１】
本発明は、吸収性本体とこの吸収性本体を包むラップ材とを具えた吸収体ならびにこの吸収体を液透過性のトップシートと液不透過性のバックシートとの間に配した吸収性物品に関する。
【背景技術】
【０００２】
子供用または大人用のおむつ，女性用生理用品，軽中度失禁パッド，ペット用排泄処理用品など、液透過性のトップシートとバックシートとの間に吸収体を介在させた各種吸収性物品が知られている。このような吸収性物品において、尿などの液体を吸収保持するための吸収体は、吸収性本体とラップ材とから構成される。吸収性本体は、主にフラッフ状パルプ、すなわちセルロース繊維と、高吸液性樹脂(superabsorbent polymer)、すなわちＳＡＰとの混合体であり、ラップ材は、この吸収性本体を包む難水溶性のティッシュや熱可塑性不織布からなる。
【０００３】
このような吸収性物品の一例として、例えば特許文献１，２などが知られている。これらは、着用者と接する側の吸収体の表面に尿などの体液の通路となる凹部を形成し、吸収体の全域にて体液が迅速に拡散吸収されるように配慮したものである。
【先行技術文献】
【特許文献】
【０００４】
【特許文献１】特開２０１６−０９３４８２号公報
【特許文献２】特開２０１６−２１４４０６号公報
【発明の概要】
【発明が解決しようとする課題】
【０００５】
本発明者は、上記ラップ材は、上述のごとく難水溶性のティッシュや熱可塑性不織布などのやわらかい素材からなり、しかも単層からなることから、製造時、保管時、着用時などの吸収体の変形に基づいて破断しやすく、また、破断した際に吸収性本体を構成する材料が飛び出すことに繋がりやすい、との課題を見出した。特許文献１，２に開示された吸収性物品の吸収体に凹部を形成する場合、通常はエンボス加工などによって行われる。この場合、吸収体の吸収性本体を覆うラップ材も吸収性本体と共にエンボス加工されるため、基本的に伸びが小さいラップ材は、凹部の断面形状やエンボスの深さによって、加工時の応力集中により破れてしまう可能性がある。従って、このような場合には上記の課題が特に顕在化しやすい。吸収性本体を包むラップ材が破れてしまうと、この破れた部分から吸収性本体を構成するセルロース繊維やＳＡＰが飛び出し、吸収性本体の形状、つまり吸収体の輪郭形状が崩れてしまい、その本来の機能を最大限に発揮させることができなくなるおそれがあった。
【０００６】
本発明の目的は、凹部が形成された吸収体において、その製造時や保管時あるいは着用時に発生する変形などに基づくラップ材の破れや、この破れに起因した吸収体を構成する材料の飛び出しを防止し得る吸収体およびこの吸収体を用いた吸収性物品を提供することにある。
【課題を解決するための手段】
【０００７】
本発明の第１の形態は、吸収性本体と、この吸収性本体を包むラップ材とを具えた吸収体であって、前記ラップ材が相互に重なり合う部分を有し、このラップ材の相互に重なり合う部分は、前記吸収性本体の一方の表面側に位置し、この吸収性本体の一方の表面および前記ラップ材の相互に重なり合う部分には、凹部が一体的に形成されていることを特徴とするものである。
【０００８】
本発明においては、吸収体に外力が加わった場合、ラップ材の相互に重なり合う部分においてラップ材自体の破れが抑制され、また、相互に重なり合う部分における何れか一方のラップ材が破れた場合であっても、吸収性本体を構成する材料の飛び出しが抑制される。
【０００９】
ラップ材が相互に重なり合う部分の位置や大きさは、破れのおきやすい箇所などに応じて適宜設定することができるけれども、着用者の肌に近い吸収性本体の表面にすることが好ましい。また、ラップ材の破れや吸収性本体を構成する材料の飛び出しを十分に防止するという観点から、吸収性本体の一方の表面全体の面積に対するラップ材の相互に重なり合う部分の面積の割合を１０％以上にすることが好ましく、より好ましくは２０％以上、最も好ましくは５０％以上である。
【００１０】
この場合、相互に重ね合わされて吸収性本体と共に凹部を形成する第１ラップ部および第２ラップ部と、吸収性本体の他方の表面側に位置する第３ラップ部とを有する一枚のラップ材にてラップ材を構成することができる。あるいは、相互に重ね合わされて吸収性本体と共に凹部を形成する第１ラップ部および第２ラップ部を有する第１のラップ材と、吸収性本体の他方の表面側に位置する第３ラップ部を有する第２のラップ材とでラップ材を構成することも可能である。あるいは、ラップ材が相互に重ね合わされて吸収性本体と共に凹部を形成する第１ラップ部および第２ラップ部と、吸収性本体の他方の表面側に位置する第３ラップ部とを有し、第１ラップ部を第１のラップ材にて形成すると共に第２ラップ部および第３ラップ部を第１のラップ材とは異なる第２のラップ材にて形成することも可能である。
【００１１】
ラップ材をその坪量が３０ｇ／ｍ2以下の不織布およびティシュの少なくとも一方にて構成することが好ましい。この場合、第１ラップ材を不織布にて構成することが特に有効である。
【００１２】
本発明の第２の形態は、液透過性のトップシートと、液不透過性のバックシートと、これらトップシートとバックシートとの間に配される本発明の第１の形態による吸収体とを具えたことを特徴とする吸収性物品にあり、このような吸収性物品として、例えば子供用または大人用のおむつ，女性用生理用品，軽中度失禁パッド，ペット用排泄処理用品などを挙げることができる。
【００１３】
本発明の第２の形態による吸収性物品において、凹部を液透過性のトップシートにも一体的に形成することができる。
【発明の効果】
【００１４】
本発明の第１の形態によると、吸収性本体と、この吸収性本体を包むラップ材とを具えた吸収体のラップ材が相互に重なり合う部分を有するので、吸収体に外力が加わってもラップ材を破れ難くすることができる。また、万一、相互に重なり合う部分を構成するラップ材のいずれかが破れた場合であっても吸収性本体を構成する材料の飛び出しを抑制できる。
【００１５】
吸収性本体の一方の表面全体の面積に対するラップ材の相互に重なり合う部分の面積の割合を１０％以上にした場合、ラップ材の破れや吸収性本体を構成する材料の飛び出しを充分に防止することができる。
【００１６】
特に、ラップ材を、相互に重ね合わされて吸収性本体と共に凹部を形成する第１ラップ部および第２ラップ部と、吸収性本体の他方の表面側に位置する第３ラップ部とを有する一枚のラップ材にて構成した場合、吸収性本体を完全にくるむことができる。結果として、吸収性本体の型崩れおよび吸収性本体を構成する材料の飛び出しをより確実に防止することができる。あるいは、ラップ材を、第１のラップ材と、第２のラップ材とで構成した場合、特性の異なる２種類のラップ材をその目的に応じて使用することができる。しかも、一枚のラップ材を用いるよりも容易に吸収体を製造することが可能となる。
【００１７】
ラップ材をその坪量が３０ｇ／ｍ2以下の不織布およびティシュの少なくとも一方にて構成した場合、吸収体の硬化による風合いの低下を阻止することができる。特に、相互に重ね合わされて吸収性本体と共に凹部を形成する第１のラップ材を不織布にて構成した場合、凹部の形成に伴って発生する可能性のあった第１のラップ材の破れおよび吸収性本体を構成する材料の飛び出しを抑制する効果が特に顕著となる。
【００１８】
本発明の第２の形態によると、液透過性のトップシートと、液不透過性のバックシートと、これらトップシートとバックシートとの間に配される本発明の第１の形態による吸収体とを具えているので、吸収体に外力が加わってもラップ材を破れ難くすることができる。また、万一、相互に重なり合う部分を構成するラップ材のいずれかが破れた場合であっても吸収性本体を構成する材料の飛び出しが抑制される。
【００１９】
凹部を液透過性のトップシートにも一体的に形成した場合、外力が加わると吸収体を含む吸収性物品全体が凹部にて曲がり易くなり、着用性をさらに向上させることができる。
【図面の簡単な説明】
【００２０】
【図１】本発明による吸収性物品をテープ型使い捨ておむつに応用した一実施形態の外観を示す立体投影図である。
【図２】図１に示したテープ型使い捨ておむつの展開状態をその肌当接面側から見た一部破断平面図である。
【図３】図２に示したテープ型使い捨ておむつを分解状態で表す立体投影図である。
【図４】図２中のIV−IV矢視に沿った断面図である。
【図５】図１に示したテープ型使い捨ておむつに用いられる吸収体の平面図である。
【図６】本発明による吸収体の他の実施形態の断面図である。
【図７】本発明による吸収体の別な実施形態の断面図である。
【図８】本発明による吸収体のさらに別な実施形態の断面図である。
【図９】本発明による吸収体の異なる実施形態の断面図である。
【発明を実施するための形態】
【００２１】
本発明による吸収性物品をテープ型使い捨ておむつに適用した一実施形態について、図１〜図９を参照しながら詳細に説明するが、本発明による吸収性物品は、このようなテープ型使い捨ておむつに限定されない。例えば、パンツ型使い捨ておむつや尿漏れパッドなど、液透過性のトップシートと、液不透過性のバックシートと、これらトップシートとバックシートとの間に配される吸収体とを具えた各種吸収性物品に本発明を適用可能である。
【００２２】
本実施形態によるテープ型使いすておむつの使用状態における外観を図１に示し、その内側の肌当接面側を表にして展開した状態の外観を図２に示し、これをさらに分解した状態の外観を図３に示す。また、図２中のIV−IV矢視に沿った断面構造を模式的に図４に示し、吸収体の平面形状を図５に示す。
【００２３】
すなわち、本実施形態におけるテープ型使い捨ておむつ（以下、単におむつと記述する）１０は、液不透過性のカバーシート１１およびバックシート１２と、吸収体１３と、液透過性のトップシート１４と、左右一対のサイドシート１５とを有する。トップシート１４が重ね合わされるバックシート１２は、トップシート１４とほぼ同じ寸法形状を有し、良好な手触りを得るために薄い不織布にて形成されたカバーシート１１に接合される。吸収体１３は、バックシート１２と、このバックシート１２に重ね合わされるトップシート１４との間に配され、バックシート１２とトップシート１４とが直接接するこれらの外周縁部は相互に一体的に接合されている。液不透過性のサイドシート１５の長手方向両端部（図２中、上下両端部）は、カバーシート１１の上下両端部に重ね合わされ、バックシート１２およびトップシート１４の左右両側縁部と、カバーシート１１とに対してそれぞれ一体的に接合されている。カバーシート１１およびサイドシート１５は、バックシート１２およびトップシート１４の前後両側の左右、すなわち幅方向両側縁から外側へ延出する前後一対のサイドフラップ部１０ｆ，１０ｒを有する。これら前後のサイドフラップ部１０ｆ，１０ｒの間の股下領域１０Ｇには、着用者に脚周り開口部１０ｔとなる一対の円弧状凹部１０ｃが形成されている。
【００２４】
本実施形態においては、トップシート１４の左右両側に覆い重なる左右一対のサイドシート１５の内側部分（図２中、中央側）がトップシート１４に対して非接合状態となっている。この内側部分に立体ギャザー１５ａを形成するため、サイドシート１５の内側端縁部に糸ゴム１６が伸張状態で接合されている。
【００２５】
このおむつ１０の後身頃領域１０Ｒ側のカバーシート１１には、ウエスト周り開口部１０ｗに沿って配設される横に細長いウエスト周り弾性シート１７が伸長状態で接合されている。本実施形態におけるウエスト周り弾性シート１７は、ベースシート１８と、このベースシート１８に伸長状態で相互に平行に接合される複数本の糸ゴム１９と、これら糸ゴム１９を覆うようにベースシート１８に接合されるアッパーシート２０とで構成される。このウエスト周り弾性シート１７は、ウエストギャザー１７ａを形成して着用者のウエスト周りのフィット性を良好にする機能を有する。
【００２６】
後身頃領域１０Ｒ側のサイドフラップ部１０ｒの幅方向両側縁部には、左右一対のファスニングテープ２１の基端部がウエスト周り弾性シート１７の両端部に重ね合わせて接合されている。これらファスニングテープ２１を介して後身頃領域１０Ｒ側のサイドフラップ部１０ｒを前身頃領域１０Ｆ側のサイドフラップ部１０ｆに重ね合わせることにより、ウエスト周り開口部１０ｗと脚周り開口部１０ｔとが形成される。ファスニングテープ２１は、その幅方向（図２中、左右方向）に沿って伸縮性を持たせた伸縮シートで構成され、その先端部分に面ファスナー２２が取り付けられている。面ファスナー２２は、前身頃領域１０Ｆ側のカバーシート１１に接合された面ファスナーシート２３に対して繰り返し剥離可能に接合可能である。従って、弾性力を伴ってファスニングテープ２１を引き延ばしてその面ファスナー２２の部分を前身頃領域１０Ｆの面ファスナーシート２３に接合することにより、着用者のウエスト周りに対して常に適切な締め付け力を与えることができる。
【００２７】
また、吸収体１３の両側縁の外側の長手方向に沿った股下領域１０Ｇから前身頃領域１０Ｆ側および後身頃領域１０Ｒ側にかけて脚周り弾性部材２４が配されている。本実施形態では糸ゴムにて形成した脚周り弾性部材２４は、カバーシート１１とサイドシート１５との間に伸長状態で固定され、レッグギャザー２４ａを形成して着用者の脚周りのフィット性を良好にする機能を有する。
【００２８】
本実施形態における吸収体１３は、主にパルプ、すなわちセルロース繊維とＳＡＰとで構成される吸収性本体２５と、このシート状をなす吸収性本体２５を包む難水溶性のコアラップ、すなわちラップ材２６とで構成される。
【００２９】
本実施形態におけるラップ材２６は、その坪量が３０ｇ／ｍ2以下の不織布またはティシュにて構成される。このため、ラップ材２６自体の液体の吸収量は、吸収体１３全体の液体の吸収量の１０％以下である。ラップ材２６は、メルトブローンポリマーや熱可塑性バインダー繊維および液体噴射可能な結合剤などのバインダー繊維をなるべく含んでいないことが好ましい。前記バインダー繊維のラップ材２６における配合比は、典型的には乾燥質量でラップ材２６の５％未満とすることが好ましく、３％未満であることがさらに好ましく、０％であることが特に好ましい。また、このラップ材２６は、第１ラップ部２７と、第２ラップ部２８と、第３ラップ部２９とが連続してつながった一枚のラップ材２６にて構成されている。より具体的には、第１ラップ部２７および第２ラップ部２８は、相互に重ね合わされた状態で吸収性本体２５とトップシート１４との間に配され、第３ラップ部２９は、吸収性本体２５とバックシート１２との間に配されている。このように、本実施形態では一枚のラップ材２６が吸収性本体２５に対して一方向に一回転半巻き付けられた状態となっているため、吸収性本体２５の型崩れや吸収性本体を構成する材料の飛び出しを確実に阻止することができる。また、ラップ材が複数枚の別体から構成される場合のように、複数の原反ロールを準備する必要がなく、製造装置の構成をよりシンプルにすることができる。なお、吸収性本体２５に対するラップ材２６の巻き付け方向を図４に示す方向（右巻き）に対して逆方向（左巻き）にしてもかまわない。
【００３０】
吸収体１３は、おむつ１０の前身頃領域１０Ｆから股下領域１０Ｇを通って後身頃領域１０Ｒまで達するように、これらに対応した前身頃部分と股下部分と後身頃部分とを有する。吸収体１３の股下部分には、両脚の太股部分を取り囲む左右一対の脚周り開口部１０ｔに合わせて、円弧状をなす一対の円弧状凹部１３ｔが形成され、股下部分の幅が前身頃部分および後身頃部分の幅に比べて狭くなっている。
【００３１】
なお、この円弧状凹部１３ｔを吸収体１３に形成することは必須ではない。また、吸収体１３の輪郭形状も本実施形態のような細長い形状以外に、楕円形や円形または正方形など、様々な形状を採用することができる。さらに、着用対象者やその用途などに応じて図５中、上下方向となる長手方向と、これに直交する図５中、左右方向となる幅方向との比率を任意に変更することが可能である。
【００３２】
図２および図４に示すように、本実施形態の吸収体１３は、トップシート１４と共にその表面からバックシート１２に向かってエンボス加工を規則的に施したエンボスパターン形成領域、すなわち凹部形成領域ＺRを有する。この凹部形成領域ＺRには、エンボス加工による凹部３０の配列構成によって、全体として、いわゆる斜め格子状のエンボスパターンが形成される。このエンボスパターンの具体的構成などに関しては、本発明の特徴ではなく、例えば特許文献１，２などに開示された周知のものを適宜採用することが可能である。
【００３３】
本実施形態における凹部３０は、トップシート１４と、ラップ材２６の第１ラップ部２７および第２ラップ部２８と、吸収性本体２５とを共に一体的に圧縮して形成される。本実施形態では、ラップ材２６の相互に重なり合う部分、すなわち第１ラップ部２７および第２ラップ部２８に凹部３０が形成されるため、従来のものよりも、着用時やエンボス加工の際や着用中などにラップ材２６の破れや吸収性本体を構成する材料の飛び出しなどを抑制することができる。また、凹部３０の形態が維持されやすくなる。
【００３４】
また、図２および図５に示すように、エンボスパターンは、吸収体１３の周縁部には形成されておらず、従って凹部形成領域ＺRは、このエンボスパターンが形成されない凹部非形成領域ＺNによって取り囲まれた状態となっている。この凹部非形成領域ＺNの存在により、エンボスパターンを構成する凹部３０を伝って、尿などの液体が吸収体１３の周縁部から漏れることを抑制することができる。なお、図５には便宜的に凹部形成領域ＺRと凹部非形成領域ＺNとの境界を二点鎖線で示してある。
【００３５】
加えて、凹部３０は、トップシート１４と、ラップ材２６の第１ラップ部２７および第２ラップ部２８と、吸収性本体２５とを共に圧縮接合して形成されているので、凹部３０の底面から尿などの液体があまり吸収されない傾向を持つ。従って、凹部３０に流れ込む液体は、凹部３０の側壁を通って吸収性本体２５の凹部形成領域ＺRへと吸収され、さらに凹部非形成領域ＺNへと浸透する。
【００３６】
各凹部３０を適切な深さおよびパターンにて形成することにより、着用者の体重が加わっても、その溝構造を維持することができると共に、おむつ１０の股下領域１０Ｇにおける吸収体１３の肌当接面において、柔らかな肌触りを維持することができる。従って、斜め格子状のエンボスパターンにより、脚の様々な動きに対しておむつ１０がよれるなど変形を抑制できるとともに、その肌触りを柔らかいものとして、肌への刺激を極力抑えることが可能である。
【００３７】
上述した実施形態では、吸収性本体２５に対して一枚のラップ材２６を一方向に巻き付けるようにしたが、逆方向に折り返すことによって第１ラップ部２７と第２ラップ部２８とを形成することも可能である。このような本発明による吸収体の他の実施形態を先の図４と同様な断面構造にて図６に示すが、先の実施形態と同一機能の要素にはこれと同一符号を記すに止め、重複する説明を省略する。すなわち、本実施形態においては、吸収性本体２５の幅方向他端側にてラップ材２６を折り返し、第１ラップ部２７と第２ラップ部２８とを重ね合わせるようにしている。しかしながら、図７に示すように、吸収性本体２５の幅方向一端側にてラップ材２６を内側に折り返すようにしてもかまわない。この場合、第１ラップ部２７と第２ラップ部２８との上下関係が逆になることに注意されたい。何れの場合であっても、折り返し位置を吸収性本体２５に対するラップ材２６の巻き付け方向に応じて、折り返し位置を吸収性本体２５の幅方向一端側および他端側の何れかに変更することができる。
【００３８】
しかしながら、図６に示した実施形態では、図４に示した実施形態の有利な特徴を有しながらも、一枚のラップ材２６をいわゆるＺ折りに折り返しているため、図４に示した実施形態よりも吸収体１３の製造が容易である。
【００３９】
上述した実施形態では、一枚のラップ材２６にて吸収性本体２５を包むようにしたが、二枚のラップ材２６ａ，２６ｂにて吸収性本体２５を包むことも可能である。このような本発明による吸収体１３のさらに別な実施形態を先の図４と同様な断面構造にて図８に示すが、先の実施形態と同一機能の要素にはこれと同一符号を記すに止め、重複する説明を省略する。すなわち、本実施形態におけるラップ材２６は、第１ラップ部２７および第２ラップ部２８を有する第１のラップ材２６ａと、第３ラップ部２９を有する第２のラップ材２６ｂとで構成されている。第１のラップ材２６ａは、相互に重ね合わされてトップシート１４と吸収性本体２５との間に配され、トップシート１４および吸収性本体２５と共に凹部３０を形成する。また、第２のラップ材２６ｂは、吸収性本体２５の他方の表面側、すなわちバックシート１２と吸収性本体２５との間に配される。本実施形態における第１のラップ材２６ａは、吸収性本体２５の表面の幅方向他端側にて折り返しているが、吸収性本体２５の表面の幅方向一端側にて折り返すことも可能である。
【００４０】
本実施形態では、２枚のラップ材２６ａ，２６ｂを用いているため、第１のラップ材２６ａと第２のラップ材２６ｂとを特性の異なるもので構成することが可能である。例えば、第１のラップ材２６ａの強度が第２のラップ材２６ｂよりも高くなるように、これらの坪量や厚みなどを異ならせることにより、エンボス加工の際に第１のラップ材２６ａをさらに破れ難くすることができる。あるいは、熱可塑性不織布にて第１のラップ材２６ａを構成し、ティシュにて第２のラップ材２６ｂを構成した場合、エンボス加工に対する戻り変形がティシュよりも熱可塑性不織布の方が少ない傾向にあるので、凹部３０の型崩れをより確実に抑制することが可能である。
【００４１】
上述した実施形態では、二枚のラップ材２６ａ，２６ｂを吸収性本体２５の表面側と裏面側とに分けて配したが、二枚のラップ材２６ａ，２６ｂを吸収性本体２５の表面側で相互に重ね合わせるように配することも可能である。このような本発明による吸収体１３の異なる実施形態を先の図４と同様な断面構造にて図９に示すが、先の実施形態と同一機能の要素にはこれと同一符号を記すに止め、重複する説明を省略する。すなわち、本実施形態においては、第１ラップ部２７が第１のラップ材２６ａにて形成され、第２ラップ部２８と第３ラップ部２９とが第１のラップ材２６ａとは異なる第２のラップ材２６ｂにて形成されている。第２のラップ材２６ｂは、吸収性本体２５の幅方向一端側で折り返され、第１のラップ材２６ａと重ね合わされた状態となっている。この場合、第１のラップ材２６ａを吸収性本体２５の表面と第２のラップ材２６ｂの第２ラップ部２８との間に配することも可能である。
【００４２】
本実施形態では、第２のラップ材２６ｂを吸収性本体２５の幅方向一端側で折り返して吸収性本体２５を包んだ状態となっているため、図６に示した実施形態と同様に、吸収性本体２５の幅方向一端側の型崩れを確実に阻止することができる。また、第２のラップ材２６ｂの大きさを変更して第２ラップ部２８に対する第１ラップ部２７の重なり合う面積を１００％未満にしたり、これらの重なり合う位置を容易に変更することができる。ただし、ラップ材２６ａ，２６ｂの破れや吸収性本体２５を構成する材料の飛び出しを十分に防止するという観点から、第２ラップ部２８に対する第１ラップ部２７の重なり合う面積を１０％以上にすることが好ましい。
【００４３】
このように、本発明はその特許請求の範囲に記載された事項のみから解釈されるべきものであり、上述した実施形態においても、本発明の概念に包含されるあらゆる変更や修正が記載した事項以外に可能である。例えば、ラップ材２６の重なり合う部分を二重ではなく、三重以上にしたり、使用するラップ材を三枚以上としたり、あるいは吸収性本体２５の裏面側にもラップ材２６の重なり合う部分を形成することも可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００４４】
１０  テープ型使い捨ておむつ（おむつ）
１２  バックシート
１３  吸収体
１４  トップシート
２５  吸収性本体
２６  ラップ材
２７  第１ラップ部
２８  第２ラップ部
２９  第３ラップ部
３０  凹部
【図１】
2018202100.tif 000003
【図２】
2018202100.tif 000004
【図３】
2018202100.tif 000005
【図４】
2018202100.tif 000006
【図５】
2018202100.tif 000007
【図６】
2018202100.tif 000008
【図７】
2018202100.tif 000009
【図８】
2018202100.tif 000010
【図９】
2018202100.tif 000011